(57)【要約】【課題】多数の害虫をほぼ連続的に吸引して捕獲し駆除することができる害虫捕獲器を提供する。【解決手段】有底筒状の捕獲容器２と、捕獲容器２に形成され吸引装置に連結される吸引口３と、捕獲容器２に形成され吸引装置の吸引力により害虫が吸入される吸入口４とを備え、吸引口３には捕獲容器２の内部空間に向けて突出するとともに、捕獲容器２の内外を連通させる貫通孔５ｃが形成された吸引部材５が形成され、吸入口４には吸引された害虫が吸入口４から外に出ることを抑制する害虫返し部材６が形成されている。吸引部材が、先端を閉塞した管状体からなり、管壁を貫通する多数の貫通孔が形成されているものや、筒状のメッシュ体の先端を閉塞した管状体からなるものであってもよい。捕獲容器２内に殺虫剤を漬浸又は塗布した殺虫部材１０を配置してもよい。【選択図】　　　　図２
2004041130.tif 000002
【特許請求の範囲】
【請求項１】
有底筒状の捕獲容器と、当該捕獲容器に形成され吸引装置に連結される吸引口と、前記捕獲容器に形成され害虫が吸入される吸入口とを備えた害虫捕獲器であって、前記吸引口には、前記捕獲容器の内部空間に向けて突出するとともに、前記捕獲容器内外を連通させる貫通孔が形成された吸引部材が形成され、前記吸入口には吸引された害虫が前記吸入口から出ることを抑制する害虫返し部材が形成されていることを特徴とする害虫捕獲器。
【請求項２】
前記吸引部材が、先端を閉塞した管状体からなり、その管壁を貫通する多数の貫通孔が形成されていることを特徴とする請求項１記載の害虫捕獲器。
【請求項３】
前記吸引部材が、筒状のメッシュ体の先端を閉塞した管状体からなることを特徴とする請求項１記載の害虫捕獲器。
【請求項４】
前記捕獲容器内に殺虫剤を漬浸又は塗布した殺虫部材を配置したことを特徴とする請求項１記載の害虫捕獲器。
【発明の詳細な説明】
【０００１】
【発明が属する技術分野】
本発明は、害虫特に蜂などの害虫を吸引して捕獲する害虫捕獲器に関する。
【０００２】
【従来の技術】
蜂は非常に多数が広範囲で飛び回り人を攻撃するので、捕獲網などで捕獲して駆除することは効率的でない。このため、掃除機などの吸引装置に接続して害虫を吸引する捕獲用具が考案されている（特開平９−１７２９３６号公報、実用新案登録第３０８２２２７号公報参照）。これらのものは、概略筒状をしており、その内部に網が装着されるとともに先端部に虫返しが装着されて構成される。この捕獲用具は掃除機などの吸引装置に連結し先端部から害虫を吸引し捕獲用具内に害虫を捕獲するように用いられる。
【０００３】
【発明が解決しようとする課題】
しかしながら、上述の捕獲用具では、筒状の捕獲用具の内部に平面状の網が配置されているだけであるので、吸入口から害虫を吸引すると、吸引数が少ないときは網は完全に塞がれず吸引は行えるが、多数の蜂などの害虫を吸引すると害虫が網上に堆積し網の隙間が完全に無くなって吸引することができなくなってしまう。このため、網に害虫が堆積する前に、吸引を止めて害虫を除去するなどの作業を行わなければならず、吸引作業が頻繁に停止させられ、作業効率がきわめて悪い。
【０００４】
本発明は上記事情に鑑みてなされたもので、多数の害虫をほぼ連続的に吸引して捕獲し駆除できる害虫捕獲器を提供することを目的とする。
【０００５】
【課題を解決するための手段】
本発明の請求項１記載の害虫捕獲器は、有底筒状の捕獲容器と、当該捕獲容器に形成され吸引装置に連結される吸引口と、前記捕獲容器に形成され害虫が吸入される吸入口とを備えた害虫捕獲器であって、前記吸引口には、前記捕獲容器の内部空間に向けて突出するとともに、前記捕獲容器内外を連通させる貫通孔が形成された吸引部材が形成され、前記吸入口には吸引された害虫が前記吸入口から出ることを抑制する害虫返し部材が形成されていることを特徴とする。
【０００６】
本害虫捕獲器によれば、吸引口を吸引装置に連結し、吸引装置を駆動させて吸引部材に形成された貫通孔から捕獲容器内の空気を吸引し、吸入口に連結された吸入管などを蜂などの害虫に向け害虫を吸引する。吸引された害虫は捕獲容器内に捕獲されるが、吸引部材は捕獲容器の内部空間に向けて突出しているので、相当数の害虫を吸引して捕獲しても吸引部材の貫通孔がすべて塞がれてしまうことがなく、連続的に害虫を吸引して捕獲することができる。
【０００７】
本発明の請求項２記載の害虫捕獲器は、前記吸引部材が、先端を閉塞した管状体からなり、その管壁を貫通する多数の貫通孔が形成されていることを特徴とする。
【０００８】
本害虫捕獲器によれば、前記吸引部材の管壁に形成された多数の貫通孔が塞がれるまで多数の害虫を捕獲容器内に吸引して捕獲することができる。
【０００９】
本発明の請求項３記載の害虫捕獲器は、前記吸引部材が、筒状のメッシュ体の先端を閉塞した管状体からなることを特徴とする。
【００１０】
本害虫捕獲器によれば、メッシュ体の目が塞がれるまで多数の害虫を捕獲容器内に吸引でき、さらに管状体の管壁に多数の貫通孔を形成させるような手間がかからず、製造工程を簡素なものとすることができる。
【００１１】
本発明の請求項４記載の害虫捕獲器は、前記捕獲容器内に殺虫剤を漬浸又は塗布した殺虫部材を配置したことを特徴とする。
【００１２】
本害虫捕獲器によれば、捕獲容器内に吸引して捕獲された害虫は殺虫部材から発散して捕獲容器内に充満した殺虫剤により死滅若しくは弱体化させられ、捕獲後に殺虫剤を注入するなどという操作を行わなくてもよく、捕獲後の害虫の処理を容易にすることができる。
【００１３】
【発明の実施の形態】
以下に、図面を参照して本発明の実施の形態にかかる害虫捕獲器について説明する。
【００１４】
図１〜図４に示すように、本実施の形態にかかる害虫捕獲器１は、有底筒状の捕獲容器２と、この捕獲容器２に形成された吸引口３と、捕獲容器２に形成され害虫が吸入される吸入口４とを備えて概略構成され、吸引口３には捕獲容器２の内部空間に向けて突出し管壁に多数の貫通孔５ｃが形成された吸引部材５が取り付けられ、吸入口４には吸引された害虫が吸入口４から外に出ることを抑制する害虫返し部材６が取り付けられている。
【００１５】
捕獲容器２は、吸引口３が形成された有底筒状の底部部分２ａと、吸入口４が形成された略円錐状の頭部部分２ｂに一体に形成された筒状の胴部部分２ｃとの２つの部分からなっている。各部分２ａ，２ｂ，２ｃは、透明又は半透明のＰＥＴ樹脂から形成されている。各部分２ａ，２ｂ，２ｃの肉厚は、吸引力により撓まない程度の所望の強度が得られるような厚みに形成されている。さらに強度不足が懸念される場合には、各部の内面又は外面の少なくとも一面に例えばエポキシ樹脂などからなる補強用の樹脂層を塗布するようにしてもよい。
【００１６】
底部部分２ａは胴部部分２ｃに嵌まり込んで全体として有底筒状の形状をなしている。図２に示すように、底部部分２ａの端部外周面と胴部部分２ｃの端部内周面とには互いに螺合させられる螺子部が形成され、これらの螺子部のねじ込みにより一体化される。このように、ねじ込みにより一体化するのは、必要なときに簡単に着脱でき、一体化された後に不用意に分離されることを防止するためである。
【００１７】
頭部部分２ｂの一端部には、害虫捕獲器１をベルトなどに装着するためのフック部材７がベルト部材８により固定されている。ベルト部材８は金属製の環状ベルトであっても帯状の合成樹脂テープなどであってもよい。フック部材は頭部部分２ｂや胴部部分２ｃなどに一体に成形してもよい。
【００１８】
吸引口３は、底部部分２ａの底面を貫通した貫通孔３ｂと、この貫通孔３ｂに同心状に配置されエポキシ樹脂などからなる接着剤で肉盛部３ｃを形成して底部部分２ａに内面に接着された円筒状部材３ａとを備えている。円筒状部材３ａの内面には雌ねじ部３ｄが形成されている。
【００１９】
吸引部材５は、概略円筒状をなし、中空部材５ａと、中空部材５ａの先端に一体に形成された円錐状の先端部材５ｄと、中空部材５ａの基端部に一体に形成された雄ねじ部材５ｂと、この雄ねじ部材５ｂの基端に同心状に一体に連接された筒状の大径部５ｅと、この大径部５ｅに同心状に一体に連接された筒状の小径部５ｆと、大径部５ｅの基端外周に一体に固定されたドーナッツ状のストッパー部材５ｇとを備えている。
【００２０】
中空部材５ａの側面には多数の貫通孔５ｃが管壁を貫通して形成されている。図２のものでは、先端部材５ｄを中空部材５ａと一体に形成されたものを示すが、別体に形成された先端部材５ｄを中空部材５ａと相互に一体にしたものであってもよい。先端部材５ｄには貫通孔５ｃが形成されていない。先端部材５ｄは先端に虫が溜まることを予防するものである。吸引部材５の中空部材５ａを底部部分２ａの外側から挿入し、雄ねじ部材５ｂを円筒状部材３ａの内面に形成された雌ねじ３ｄにストッパー部材５ｇが底部部分２ａの外端部に当接するまでねじ込んで、吸引口３に吸引部材５が着脱自在に取り付けられる。
【００２１】
吸引口３の円筒状部材３ａの外周面には殺虫剤をしみ込ませたシート体を丸めて筒状とした殺虫部材１０が配置され、輪ゴムなどによりずれないように固定されている。このシート体の代わりに捕獲容器２の底部部分にドーナッツ状のシート体を配置して、殺虫部材としてもよい。
【００２２】
図２及び図４に示すように、害虫返し部材６はその中間部で円筒状のホルダー部材１１の一端で折り返され、害虫返し部材６の外面から粘着テープ１２を巻き付けて、害虫返し部材６をホルダー部材１１に固定する。害虫返し部材６には、内部に柔らかい針金などの心材が埋設された帯状の部材が使用されている。害虫返し部材６が取り付けられたホルダー部材１１は、捕獲容器２の頭部部分２ｂの開口部に害虫返し部材６が内部に向くように圧入して取り付けられる。捕獲容器２の外側から圧入しても内側から圧入してもよい。
【００２３】
図４に示すように、ホルダー部材１１の内側に配置された害虫返し部材６を、ホルダー部材１１の内側に向けて屈曲させて、その先端６ａを互いに重合させ開口面積を絞って捕獲容器２内に入った害虫が外に出にくくする。
【００２４】
吸入口４は、概略円筒状をなし、捕獲容器２の頭部部分２ｂの開口部を覆うように取り付けられる筒状の大径部４ａと、この大径部４ａに連接された筒状の小径部４ｂとを備えている。吸入口４は、その大径部４ａの内周面に形成された螺子部を頭部部分２ｂの開口部外周面に形成された螺子部にねじ込むことにより着脱自在に取り付けられている。大径部４ａには頭部部分２ｂの開口縁に接する部分に気密用のパッキン４ｃが取り付けられている。小径部４ｂの外周面には可撓性を備えたホース１３が圧入されている。
【００２５】
本害虫捕獲器１の使用方法及び作用について説明する。
【００２６】
まず、害虫の捕獲駆除をしようとする場合には、図１に示すように、掃除機などの吸引装置Ｓの吸引口にホース１５を挿入し、ホース１５に、害虫捕獲器１に取り付けられたホース９を連結する。害虫捕獲器１に取り付けられたホース１３に害虫吸引管１４を接続する。
【００２７】
次いで、吸引装置Ｓを駆動して害虫捕獲器１内の空気を吸引部材５に形成された貫通孔５ｃから吸引し、ホース１３及び害虫吸引管１４から空気を吸引する。害虫吸引管１４の先端を蜜蜂やスズメバチなどの害虫に向け、害虫を吸引する。吸引された害虫は、ホース１３及び害虫吸引管１４内を通って捕獲容器２内に入る。害虫の出口は入ってきた部分以外に無いので、捕獲容器２内に捕獲される。害虫が入ってきた部分には害虫返し部材６が入り口の開口面積を絞って配置されているので、一旦捕獲された害虫が外に出ることはほとんど無い。
【００２８】
捕獲容器２内に捕獲された害虫は、捕獲容器２内に配置された殺虫部材１０から発散される殺虫成分を吸い込んで、徐々に弱っていく。捕獲開始から終了までの時間内で完全に死滅に至らないものの、再び飛ぶことができない程度に弱体化する。害虫の吸引が終了したら、捕獲容器２の底部部分２ａを胴部部分２ｃから外して内部に溜まった害虫を廃棄する。
【００２９】
（他の実施の形態）
上記実施の形態の害虫捕獲器１では、吸引部材５として中空部材５ａに多数の貫通孔５ｃが形成されたものを使用したが、捕獲容器２内の空気が吸引できかつ害虫が外に逃げ出せない構造のものであれば、これに限られず、例えば細かな編み目が形成された筒状のメッシュ体や、網を丸めて円筒状にしたものの先端に栓をしたものであってもよい。この場合、雄ねじ部材５ｂにメッシュ体などを差し込む円筒状の凸部を形成しておくことが好ましい。
【００３０】
上記実施の形態の害虫捕獲器１では、吸引部材５の先端を円錐形にしてあるが、中空部材５ａとほぼ直交する平面が形成されるようにしてもよい。害虫が先端に掴まって溜まらない場合には平面でも支障が無いからである。
【００３１】
上記実施の形態の害虫捕獲器１では、吸引部材５の先端部材５ｄには貫通孔を形成していないが、吸引部材５の先端部に網部材を設けたり、先端部材５ｄに複数の貫通孔を形成し、当該部分からも捕獲容器２内の空気を吸引するようにしてもよい。この場合、中空部材５ａの側面に上記実施の形態と同様に貫通孔５ｃを形成してもよいし、貫通孔５ｃの数を減らしてもよいし、場合によっては貫通孔５ｃを全く設けなくてもよい。
【００３２】
上記実施の形態の害虫捕獲器１では、捕獲容器２のほぼ全長にわたって吸引部材５が位置するように配置しているが、捕獲容器２の中間部付近まで挿入されるものであってもよい。挿入代は捕獲する害虫の量と捕獲容器２の容量などとの関係で適宜選択される。
【００３３】
上記実施の形態の害虫捕獲器１では、針金などの心材が埋設された害虫返し部材６を用いているが、舌状のゴム片を複数枚その側面を相互に重合させて配置したものであってもよい。この場合、長期間の使用に堪えるようにゴム片などの材質を適宜選択することが好適である。
【００３４】
上記実施の形態の害虫捕獲器１では、底部部分２ａと胴部部分２ｃとを螺子部の螺合により一体化しているが、底部部分２ａと胴部部分２ｃとを弾性的に嵌合させて一体化するようにしてもよい。この場合、弾性反発力による抜け止め作用に不安が有る場合には嵌合部に粘着テープを巻き付けるようにしてもよい。さらに、底部部分２ａの端部付近と胴部部分２ｃの端部付近に互いに弾性的に嵌合し合う凹部又は凸部からなるファスナーなどを形成してこれらの嵌合又は係合により抜け止めを図るようにしてもよい。
【００３５】
上記実施の形態の害虫捕獲器１では、２つの部分２ａ，２ｃに分割して一体化するようにしているが、分割数や分割位置は適宜選択することができる。
【００３６】
上記実施の形態の害虫捕獲器１では、吸入口４を捕獲容器２の頭部部分２ｂに螺合しているが、吸入口４の大径部４ａを捕獲容器２の頭部部分２ｂの開口部外周面に圧入して両者を一体化するようにしてもよい。
【００３７】
上記実施の形態の害虫捕獲器１では、害虫吸入管１４の先端には何も取り付けなかったが、先端の口径を絞ったり、楕円形にしたり、屈曲させたりしたアタッチメント部品を取り付けるようにしてもよい。
【００３８】
【発明の効果】
以上説明したように本発明の害虫捕獲器では以下のような効果を奏する。
【００３９】
（１）吸引装置を駆動させ吸引口に形成された吸引部材の貫通孔から捕獲容器内の空気を吸引し、吸入口に連結された吸入管を蜂などの害虫に向け害虫を吸引し、捕獲容器内に捕獲できる。
【００４０】
（２）吸引部材は捕獲容器の内部空間に向けて突出しているので、相当数の害虫を吸引して捕獲しても吸引部材の貫通孔がすべて塞がれてしまうことがなく、連続的に害虫を吸引して捕獲することができる。
【００４１】
（３）多数の貫通孔が塞がれるまで多数の害虫を捕獲容器内に吸引して捕獲することができる。
【００４２】
（４）吸引部材を筒状のメッシュ体の先端を閉塞した管状体からなるものでは、多数の害虫を捕獲することができるとともに、製造工程の簡素化を図ることができる。
【００４３】
（５）殺虫部材から発散して捕獲容器内に充満する殺虫剤により害虫を死滅若しくは弱体化させることができ、捕獲後に殺虫剤を注入するなどという操作を行わなくてもよく、捕獲後の害虫の処理を容易にすることができる。
【図面の簡単な説明】
【図１】本発明の実施の形態にかかる害虫捕獲器の使用例を示す斜視図である。
【図２】本発明の実施の形態にかかる害虫捕獲器を示す部分断面図である。
【図３】図２のＡ−Ａ矢視図である。
【図４】本発明の実施の形態にかかる害虫捕獲器の害虫返し部材などを示す図である。
【符号の説明】
１　　害虫捕獲器
２　　捕獲容器
３　　吸引口
４　　吸入口
５　　吸引部材
６　　害虫返し部材
９　　ホース
１０　殺虫部材
１３　ホース
【図１】
2004041130.tif 000003
【図２】
2004041130.tif 000004
【図３】
2004041130.tif 000005
【図４】
2004041130.tif 000006